(57)【要約】【課題】  本発明は、高速移動する移動局を対象とした通信において、認証時間を短縮して効率的な認証手続きが可能な技術を提供することを目的とする。【解決手段】  本発明は、固有のアドレスを複数有する移動局に対して一部重複して存在するエリア単位毎に実施する通信サービスを提供する際の認証を行うサーバであって、上記移動局に属する複数の固有のアドレスの対応関係を移動局毎に記憶する記憶手段と、上記移動局に対して通過中のエリア内での通信を許可するために、その移動局に属する何れかの固有のアドレスの認証を実施する認証手段と、上記認証手段が上記移動局に属する何れかの固有のアドレスを認証した場合に、上記エリアに重なり合う第二のエリアにおけるその認証した固有のアドレスに対応する他の固有のアドレスによる上記移動局との通信を許可する指示情報を送出する手段とを備える。【選択図】  図１
2005110122.tif 000002
【特許請求の範囲】
【請求項１】
固有のアドレスを複数有し前記何れかの固有のアドレスにより通信サービスを求める移動局に対して前記移動局の移動に伴い互いに重なり合って前記通信サービスを提供する複数のエリアを各々管理する複数の基地局と、前記移動局に対して前記何れかの基地局を介して通信サービスを提供するサーバとを有し、
前記サーバは、
前記移動局毎に属する複数の固有のアドレスを対応付けて記憶する記憶手段と、
前記移動局に対して通過中のエリア内での通信を許可するために、その移動局に属する何れかの固有のアドレスの認証を実施する認証手段と、
前記認証手段が前記移動局に属する何れかの固有のアドレスを認証した場合に、前記エリアの基地局に対し通信を許可する指示情報を送出すると共に前記エリアに重なり合う第二のエリアの基地局に対し前記認証した固有のアドレスに対応する他の固有のアドレスによる通信を許可する指示情報を送出する手段とを備え、
前記基地局は、
前記サーバから指示情報を受信する手段と、
受信した指示情報に基づいて該当する固有のアドレスによる通信リンクを確立する際に、認証手続きを省略する手段と、
を備える高速認証システム。
【請求項２】
前記基地局は、管理するエリアとそのエリアに隣接するエリアとの重複領域において前記移動局との通信を開始する手段を備える請求項１記載の高速認証システム。
【請求項３】
固有のアドレスを複数有する移動局に対して一部重複して存在するエリア単位毎に実施する通信サービスを提供する際の認証を行うサーバであって、
前記移動局に属する複数の固有のアドレスの対応関係を移動局毎に記憶する記憶手段と、
前記移動局に対して通過中のエリア内での通信を許可するために、その移動局に属する何れかの固有のアドレスの認証を実施する認証手段と、
前記認証手段が前記移動局に属する何れかの固有のアドレスを認証した場合に、前記エリアに重なり合う第二のエリアにおけるその認証した固有のアドレスに対応する他の固有のアドレスによる前記移動局との通信を許可する指示情報を送出する手段と、
を備えるサーバ。
【請求項４】
固有のアドレスを複数有する移動局に対して一部重複して存在するエリア単位毎に実施する通信サービスを提供する際の認証方法であって、
コンピュータが、
前記移動局に対して通過中のエリア内での通信を許可するために、その移動局に属する何れかの固有のアドレスの認証を実施する認証ステップと、
前記移動局に属する何れかの固有のアドレスが認証された場合に、その認証した固有のアドレスに対応する他の固有のアドレスを、前記移動局に属する複数の固有のアドレスの対応関係を移動局毎に予め記憶してある領域から抽出するステップと、
前記エリアに重なり合う第二のエリアにおける前記抽出した固有のアドレスによる前記移動局との通信を許可する指示情報を送出するステップと、
を実行する高速認証方法。
【請求項５】
固有のアドレスを複数有する移動局に対して一部重複して存在するエリア単位毎に実施する通信サービスを提供する際の認証を実行するプログラムであって、
コンピュータに、
前記移動局に対して通過中のエリア内での通信を許可するために、その移動局に属する
何れかの固有のアドレスの認証を実施する認証ステップと、
前記移動局に属する何れかの固有のアドレスが認証された場合に、その認証した固有のアドレスに対応する他の固有のアドレスを、前記移動局に属する複数の固有のアドレスの対応関係を移動局毎に予め記憶してある領域から抽出するステップと、
前記エリアに重なり合う第二のエリアにおける前記抽出した固有のアドレスによる前記移動局との通信を許可する指示情報を送出するステップと、
を実行させるコンピュータ実行可能なプログラム。
【請求項６】
通信サービスを提供するエリアを管理する基地局に対して認証を要求するための電波を発する手段と、
前記認証に対する結果に基づいて、通過中のエリアの基地局との通信を行う第一の通信手段と、
前記基地局が管理するエリアとそのエリアに隣接する第二のエリアとの重複領域において、前記認証の要求なしに前記第二のエリアを管理する基地局との間の通信路を確保する第二の通信手段と、
を備える移動局。
【請求項７】
請求項６に記載の移動局を備える車両。
【発明の詳細な説明】
【技術分野】
【０００１】
本発明は、移動局が通信サービスを提供する基地局の間を高速に移動しながら無線通信を行う際の技術に関する。更に詳しくは、複数の無線モジュールを有する移動局が高速に移動しながら接続する基地局を切替えて無線通信を行う際の認証技術に関する。
【背景技術】
【０００２】
近年、無線ＬＡＮ接続の普及に伴って無線ＬＡＮ接続を利用した通信サービスが増加する傾向にある。例えば、その通信サービスとしては、飲食店や駅構内などの公共の場においてインターネット接続サービスを不特定多数の利用者に対して提供する公衆無線ＬＡＮサービスがある。
【０００３】
このような公衆無線ＬＡＮサービスは、通常のＩＳＰ（Internet Services Provider）接続による通信に比べて利用者を特定しにくいため、正当な利用者を識別するための手段が必要である。通常、公衆無線ＬＡＮサービスにおいてその利用者を特定するための手段としては、ユーザ認証を行うことが一般的である。このように無線ＬＡＮ環境では、通信を行うための通信路を確保する際にユーザ認証を行うことが不可欠となっている。このユーザ認証は、例えば、移動局のＭＡＣアドレス（Media Access Control address）に基づいて実行される。通常、高速移動する移動局の通信には、一枚のＬＡＮカードを用いた認証手続きによる通信が一般的である。ＬＡＮカードにはＭＡＣアドレスという一枚毎に固有のＩＤ番号が付与されているため、同じＭＡＣアドレスを持つＬＡＮカードは存在しない仕組みになっている。通信サービスの提供側では、認証時にこのＭＡＣアドレスを用いることで、指定したＭＡＣアドレス以外はアクセスできないようにアクセス制限をすることができる。このようにＭＡＣアドレスは無線ＬＡＮ通信においてフィルタリング用途にも活用される。
【０００４】
ところで、公衆無線ＬＡＮサービスの一つである狭域通信サービスでは、その認証にかかる時間をいかに効率的に行うかという点が課題となっている。なかでも、狭域通信サービスを車載端末のように高速移動する移動局を対象とした高度道路交通システム（ＩＴＳ）分野に適用した場合には、通信エリアを連続的に確保することになり、基地局が切り替わる度にユーザの認証を連続して行うことになる。
【０００５】
以上のように、無線ＬＡＮ環境では通信を確立する際に不可欠な認証手続きを効率的に行うための研究が進められている。例えば、通信エリアが重なり合う区間（狭域通信サービスエリア間）を円滑に移動する手段として、最初のエリアで認証を完了したＭＡＣアドレスに対して近傍のスポットではその認証を省略するという方法などが提案されている。その他、認証に係る技術として、特許文献１または非特許文献１に開示された技術がある。
【特許文献１】特開２００１−３４５８１９号公報
【非特許文献１】IEEE Standards Department Standards Licensing and Contracts,“Draft Recommended Practice for Multi-Vendor Access Point Interoperability via an Inter-Access Point Protocol Across Distribution Systems Supporting IEEE802.11 Operation”, IEEE P802.11F/D , January 2003
【発明の開示】
【発明が解決しようとする課題】
【０００６】
上述のような従来の認証技術は、特に車載端末のように高速移動する移動局が基地局を
切替えて通信を行うようなサービスに適用した場合には、次のような問題が生じる。
【０００７】
一つの基地局が提供する通信エリアは十数ｍ〜百数十ｍと非常に狭く、車載端末のような移動局であれば十数秒〜数十秒で通過してしまう。それゆえ、移動局は複数の基地局の間を移動しながら接続先を順次切替えて無線通信を接続することになる。
【０００８】
しかしながら、上述のような従来の認証方法は高速移動中において連続性を確保するような通信には適さない。即ち、高速移動中の移動局は通信エリアが切替わる度に基地局との間で通信路を確保するための認証手続きを踏まなければならない。そのため、一枚のＬＡＮカードを有する移動局では、高速移動中にＭＡＣアドレスによる認証手続きが頻繁になり基地局を切替える際に通信断が発生し易くなる。このため、上述のような認証方法を、例えばＩＰ電話やストリーミングのように連続して通信路を確保しなければならないようなリアルタイム通信に適用するには適切ではなかった。
【０００９】
本発明は、以上のような問題を解決し、特に車載端末などのように高速移動する移動局を対象とした通信において、認証時間を短縮して効率的な認証手続きが可能となる技術を提供することを目的とする。
【課題を解決するための手段】
【００１０】
上記問題を解決するため、本発明は以下のような構成をとる。即ち、本発明は、高速認証システムであって、固有のアドレスを複数有し上記何れかの固有のアドレスにより通信サービスを求める移動局に対して上記移動局の移動に伴い互いに重なり合って上記通信サービスを提供する複数のエリアを各々管理する複数の基地局と、上記移動局に対して上記何れかの基地局を介して通信サービスを提供するサーバとを有し、上記サーバは、上記移動局毎に属する複数の固有のアドレスを対応付けて記憶する記憶手段と、上記移動局に対して通過中のエリア内での通信を許可するために、その移動局に属する何れかの固有のアドレスの認証を実施する認証手段と、上記認証手段が上記移動局に属する何れかの固有のアドレスを認証した場合に、上記エリアの基地局に対し通信を許可する指示情報を送出すると共に上記エリアに重なり合う第二のエリアの基地局に対し上記認証した固有のアドレスに対応する他の固有のアドレスによる通信を許可する指示情報を送出する手段とを備え、上記基地局は、上記サーバから指示情報を受信する手段と、受信した指示情報に基づいて該当する固有のアドレスによる通信リンクを確立する際に認証手続きを省略する手段とを備える。
【００１１】
好ましくは、上記基地局は、管理するエリアとそのエリアに隣接するエリアとの重複領域において上記移動局との通信を開始する手段を備えるように構成してもよい。
【００１２】
本発明によれば、基地局を介して通信サービスを提供するサーバに予め移動局毎に属する複数の固有のアドレスを対応付けて記憶しておき、移動局に対して通過中のエリア内での通信を許可する認証がその移動局に属する何れかの固有のアドレスに対して実施された場合に、そのエリアの基地局に対し通信を許可する指示情報を送出すると共にそのエリアに重なり合う第二のエリアの基地局に対しその認証した固有のアドレスに対応する他の固有のアドレスによる通信を許可する指示情報を送出する。この指示情報は基地局で受信され、基地局はその指示情報に基づいて該当する固有のアドレスによる通信リンクを確立する際に、認証手続きを省略するよう準備する。このため、移動局に属する複数の固有のアドレスのうち何れかの固有のアドレスがサーバに一度認証されれば、その後は予め記憶されている移動局毎に属する複数の固有のアドレスの対応関係からその他の固有のアドレスに対して認証なしに通信を許可することができる。従って、基地局毎の認証にかかる時間を短縮することができる。
【００１３】
また、本発明は、固有のアドレスを複数有する移動局に対して一部重複して存在するエリア単位毎に実施する通信サービスを提供する際の認証を行うサーバであって、上記移動局に属する複数の固有のアドレスの対応関係を移動局毎に記憶する記憶手段と、上記移動局に対して通過中のエリア内での通信を許可するために、その移動局に属する何れかの固有のアドレスの認証を実施する認証手段と、上記認証手段が上記移動局に属する何れかの固有のアドレスを認証した場合に、上記エリアに重なり合う第二のエリアにおけるその認証した固有のアドレスに対応する他の固有のアドレスによる上記移動局との通信を許可する指示情報を送出する手段とを備える。
【００１４】
また、本発明は、移動局であって、通信サービスを提供するエリアを管理する基地局に対して認証を要求するための電波を発する手段と、上記認証に対する結果に基づいて、通過中のエリアの基地局との通信を行う第一の通信手段と、上記基地局が管理するエリアとそのエリアに隣接する第二のエリアとの重複領域において、上記認証の要求なしに上記第二のエリアを管理する基地局との間の通信路を確保する第二の通信手段とを備える。
【００１５】
本発明によれば、通信サービスを提供するエリアを管理する基地局に対して認証を要求するための電波を発し、第一の通信手段によりその認証に対する結果に基づいて通過中のエリアの基地局との通信を行い、その基地局が管理するエリアとそのエリアに隣接する第二のエリアとの重複領域において、第二の通信手段によりその認証の要求なしにその第二エリアを管理する基地局との間の通信路を確保することができる。このため、通過中のエリアとそのエリアに隣接する次のエリアの双方に通信路を確保した状態で通信を継続することができる。従って、基地局を切替える際に発生し易い通信断を低減することができる。
【００１６】
また、本発明は、コンピュータその他の装置、機械等が上記いずれかの処理を実行する方法であってもよい。また、本発明は、コンピュータその他の装置、機械等に、以上のいずれかの機能を実現させるプログラムであってもよい。また、本発明は、そのようなプログラムをコンピュータ等が読み取り可能な記録媒体に記録したものでもよい。また、本発明は、上述した移動局を備える移動体または車両であってもよい。
【発明の効果】
【００１７】
本発明によれば、複数の無線モジュールを有する移動局に対し、そのうちの何れか一つの無線モジュールに対する認証がある基地局との間で成立すれば、残りの無線モジュールに対する認証を行わずに残りの無線モジュールを用いた通信を許可することができる。これにより、高速移動する移動局を対象とした通信において、認証にかかる時間を短縮することができ効率的な認証手続きをすることが可能となる。
【発明を実施するための最良の形態】
【００１８】
以下、図面を用いて本発明を実施するための最良の形態について説明する。なお、本実施形態の説明は例示であり、本発明の構成は以下の説明に限定されない。
【００１９】
《実施形態》
本実施形態は、高速移動する移動局を対象とした通信・情報サービスに適用した場合を想定する。
【００２０】
〈システム構成〉
図１は、本通信システムのシステム構成を示す図である。図１には、移動局である通信端末１が移動体である自動車２に設置されている。自動車２は、事業者センタ５が運営する各無線基地局６Ａ〜６Ｅが提供する通信エリア７Ａ〜７Ｅを順次移動しながら無線通信を行う。ここでの通信エリア７Ａ〜７Ｅは、隣接する通信エリア同士が重なり合い連なっ
ている状態を想定する。
【００２１】
通信端末１は、ネットワーク接続機能を有するコンピュータであればそのハードウエア構成は問わない。例えば、カーナビゲーション機能を備えた車載端末装置であってもよいし、ノートパソコン，ＰＤＡ，携帯電話等の持ち運び可能な装置であってもよい。このように本実施形態における通信端末１は、一般的な通信機器を想定しているため、そのシステム構成についての説明は省略する。
【００２２】
通信端末１は、モバイルルータ３を介して接続される無線ＬＡＮモジュール４Ａまたは４Ｂによって各無線基地局６Ａ〜６Ｅとの無線通信を行う。モバイルルータ３は、移動体内部のネットワークと外部のネットワークを接続するルータであり、複数の無線ＬＡＮモジュールが使用できる構成であればその構成は問わない。図１に示す例では、無線ＬＡＮモジュール４Ａ及び４Ｂの二枚の無線ＬＡＮモジュールが接続されている。なお以降の説明において、無線ＬＡＮモジュール４Ａ及び４Ｂを総称して、無線ＬＡＮモジュール４ともいう。
【００２３】
無線ＬＡＮモジュール４は、移動局に複数枚設置した場合に同時に電波を発して無線基地局との通信が可能なモジュールである。このような無線ＬＡＮモジュールとしては、例えば、ＩＥＥＥ８０２．１１規格に準拠した通信モジュール等を用いればよい。無線ＬＡＮモジュール４には、個々に固有のＩＤ番号としてＭＡＣアドレスが付与されている。通信サービスを提供する事業者センタ５では、このＭＡＣアドレスを用いてユーザ認証を行う。
【００２４】
事業者センタ５は、認証管理コンピュータ５ＡとＭＡＣデータベース５Ｂを含み構成される。認証管理コンピュータ５Ａは、各無線基地局が提供する通信エリアにおけるユーザ認証に係る一連の処理を実行してその認証を管理する。ここでの認証管理コンピュータ５Ａは、サーバ，ワークステーション等の一般的なコンピュータを想定しているためその構成についての説明は省略する。ＭＡＣデータベース５Ｂは、各移動局とその移動局が有する全ての無線ＬＡＮモジュール４に付与されているＭＡＣアドレスの対応関係を各移動局毎に記録する。図１に示す例では、ＭＡＣデータベース５Ｂにおいて、通信端末１はＭＡＣアドレスＡとＭＡＣアドレスＢを有することが示されている。これにより、通信端末１にはＭＡＣアドレスＡとＭＡＣアドレスＢが付与されている二つの無線ＬＡＮモジュールが備わっていることが分かる。
【００２５】
各無線基地局６Ａ〜６Ｅは、無線によるインターネット接続などの通信・情報サービスを提供する事業者によって道路沿いに隈なく設置され、事業者センタ５によって管理される。無線基地局の伝送距離は、携帯電話の基地局に比べて短く、その通信エリアは数十ｍ〜数百ｍ程度である。従って、自動車２の走行中は、無線基地局６Ａ〜６Ｅが提供する通信エリア７Ａ〜７Ｅを次々に移動しながらインターネット接続を継続することとなる。
【００２６】
以上のような構成により、自動車２は、通信エリアが連なる区間を高速移動する際に自身が有する複数の無線ＬＡＮモジュールを用いて通信路を連続的に確保しながら無線通信を行う。
【００２７】
〈通信シーケンス〉
次に、本通信システムによって実行される通信手順について説明する。図２は、本通信システムの通信シーケンスの一例を示す図である。ここでは、図１に示すように、二枚の無線ＬＡＮモジュール４Ａおよび４Ｂを有する自動車２が無線基地局６Ａ〜６Ｅによって管理される通信エリア７Ａ〜７Ｅが重なり合い連続して存在する区間を走行する場合を想定する。但し、ＭＡＣデータベース５Ｂには予め無線ＬＡＮモジュール４Ａおよび４Ｂに
それぞれ付与されているＭＡＣアドレスＡおよびＭＡＣアドレスＢが対応付けられて登録されているものとする。
【００２８】
自動車２は、無線基地局６Ａが管理する最初の通信エリア７Ａに進入する（Ｓ１）。無線基地局６Ａは、自動車２に収容されている二枚の無線ＬＡＮモジュールのうち何れかの無線ＬＡＮモジュールが発する電波を受信する（Ｓ２）。ここで無線基地局は二枚の無線ＬＡＮモジュールの選び方として、例えば、無線基地局が早く検知した方の電波を発する無線ＬＡＮモジュールを選ぶようにしてもよい。また、移動局にて使用する無線ＬＡＮモジュールの優先度を予め決定しておきその優先度に従って移動局が無線ＬＡＮモジュールを使用してもよい。図２に示す例では、無線基地局６Ａにおいて、無線ＬＡＮモジュール４Ａが発する電波が受信されている。ここで、選ばれなかった無線ＬＡＮモジュール４Ｂは電波を発したまま待機状態となり、次の無線基地局６Ｂに検知されるのを待つことになる。
【００２９】
無線基地局６Ａは、受信した電波に基づいて無線ＬＡＮモジュール４Ａを有する自動車２との通信を許可するための認証手続きを開始する。無線基地局６Ａは、受信した電波に含まれるデータからＭＡＣアドレスを取得して、そのＭＡＣアドレスが予めＭＡＣデータベース５Ｂに登録されているか否かを問合せる（Ｓ３）。図２に示す例では、無線基地局６ＡはＭＡＣアドレスＡを有する自動車２との間に通信路を確立してよいかを事業者センタ５に問合せている。
【００３０】
事業者センタ５は、無線基地局６Ａからの問合せに対してその認証を行う（Ｓ４）。ここでは、事業者センタ５の認証管理コンピュータ５Ａが問合せデータに含まれるＭＡＣアドレスが正当なユーザであるか否かを確認することになる。そして、事業者センタ５は、問合せのあったＭＡＣアドレスが正当なユーザであるという確認をもってそのアドレスの認証を行う。なお、ここでの認証方法は従来用いられている技術を採用すればよく、その形態は特に問わない。例えば、無線基地局がＩＤとパスワードの組み合わせにより実施してもよいし、公開鍵暗号を用いることにより実施してもよい。
【００３１】
ＭＡＣアドレスの認証を行った認証管理コンピュータ５Ａは、そのＭＡＣアドレスに対して通過中の通信エリアにおける利用を許可する指示を該当する無線基地局に指示する（Ｓ５）。そして指示を受けた無線基地局は、該当する無線基地局との間に通信路を確立して直ちに通信を開始する。図２に示す例では、ＭＡＣアドレスＡに対する利用許可が無線基地局６Ａに指示されており、無線基地局６ＡとＭＡＣアドレスＡの間に通信路が確立され通信が行われている。
【００３２】
そして事業者センタ５は、ＭＡＣアドレスＡの認証を行うと引き続き、ＭＡＣアドレスＡを搭載する自動車２をＭＡＣデータベース５Ｂから同定し、自動車２が有するもう一つのＭＡＣアドレスＢを抽出する（Ｓ６）。事業者センタ５は、ＭＡＣアドレスＢに対する利用許可を、現時点で自動車２が通過中の通信エリアと重なっている通信エリアに対して送出する（Ｓ７）。図２に示す例では、ＭＡＣアドレスＢに対する利用許可が無線基地局６Ｂに指示されており、ＭＡＣアドレスＢと無線基地局６Ｂの間に通信路が確立されることになる。この時、ＭＡＣアドレスＢと無線基地局Ｂ間は、いつでも通信が開始できるスタンバイ状態となっている。
【００３３】
自動車２は、現在通過中の通信エリアと次に進入する通信エリアの重複領域において、無線基地局からの電波が強くなっている方に通信を切替える。つまり、自動車２は走行するにしたがって、現在通信中の無線基地局から次の通信エリアの無線基地局へと無線基地局を切替えて通信を継続する。また、ここでの通信の切替えは、Ｓ５以降において無線基地局６Ｂが移動局を検知した時点で行うようにしてもよい。図２に示す例では、自動車２
は無線基地局６Ａと無線基地局６Ｂとの間にそれぞれ通信路が確立されており、現在通信中の無線基地局６Ａからスタンバイ状態にある無線基地局６Ｂへと通信を切替えることになる。
【００３４】
以上のようにして、自動車２は現在通過中の通信エリアと次に進入する通信エリアに対する通信路を確保することができる。従って、自動車２が次の通信エリアに完全に進入したときには既に通信が許可されている状態にあり、自動車２は認証なしに通信を続けられる。そして、次に進入した通信エリアの無線基地局は、ＭＡＣデータベース５Ｂを参照して対応するＭＡＣアドレスとそのまた次に進入する通信エリアとの間に通信路を確立する。図１に示す例では、自動車２は、次の通信エリア７Ｂに進入した時にはＭＡＣアドレスＢとの間に確立された通信路によって通信を行い、通信エリアＢと重なり合う次の通信エリアＣとＭＡＣアドレスＡとの間に通信路を確保することになる。
【００３５】
このように一旦認証された自動車２は、二つの通信エリアが重なり合う重複領域において、二枚の無線ＬＡＮモジュールを交互に使用しながら、次に進入する通信エリアと現在通過中の通信エリアとの双方に対して同時に通信リンクを張ることができる。
【００３６】
本実施形態によれば、一旦認証された移動局に対して、通信エリアが重なり合って連続して存在しなくなるまで再度の認証手続きを必要としない。このため、通常は各通信エリア毎に実施しなければならない認証手続きを最初の通信エリアで一度行うのみで通信エリアが連なる区間において通信を継続させることができる。従って、各通信エリア毎に認証を行う場合に比べて、認証にかかる時間を短縮することができる。また、移動局が高速に移動する際に頻繁に基地局を切替えるような場合であっても、認証時に発生する通信断を低減することができる。
【００３７】
〈変形例〉
上述した実施形態では、通信を確立する際の情報にＭＡＣアドレスを用いていた。しかしながら、本発明の実施は、通信レベルに限定されない。例えば、モバイルＩＰの処理において、上記二枚の無線ＬＡＮモジュールのアドレスをＩＰレベルの通信に用いるように構成してもよい。
【００３８】
また、上述した実施形態では、通信時に複数の無線ＬＡＮモジュールを交互に使用していた。しかしながら、本発明の実施は、複数の無線ＬＡＮモジュールの使用方法に限定されない。例えば、一つの通信エリア内において複数の無線ＬＡＮモジュールが早いもの勝ちで通信路を確立するようにしてもよい。ここで、既に無線ＬＡＮモジュール４Ａと無線基地局６Ａが通信中であると仮定する。そして、その状態で自動車２が通信エリア７Ａと７Ｂの重複領域に進入し、無線基地局６Ｂからの電波が受信可能になったとする。すると、通信中でなく負荷の軽い無線ＬＡＮモジュール４Ｂが無線基地局６Ｂと通信路を確立することになる。そして各無線ＬＡＮモジュールの負荷に応じてランダムに上記の無線ＬＡＮモジュールを使い分けるように構成してもよい。この場合、移動局の制御部は無線ＬＡＮモジュール４Ａからの電波より無線ＬＡＮモジュール４Ｂからの電波が強くなった時点で、無線基地局との通信を無線ＬＡＮモジュール４Ａから４Ｂへ切替えればよい。また、無線ＬＡＮモジュール４Ｂからの電波の強度が所定値以上となった時に、無線基地局との通信を無線ＬＡＮモジュール４Ａから４Ｂに切替えてもよい。
【産業上の利用可能性】
【００３９】
本発明は、短時間に連続的な認証が必要な無線通信に有効な技術であり、リアルタイムな情報を提供するサービス等、各種情報機器を利用した通信・情報サービス産業などに利用可能である。
【図面の簡単な説明】
【００４０】
【図１】本通信システムのシステム構成を示す図である。
【図２】本通信システムによって実行される通信シーケンスの一例を示す図である。
【符号の説明】
【００４１】
１            通信端末
２            自動車
３            モバイルルータ
４Ａ，４Ｂ    無線ＬＡＮモジュール
５            事業者センタ
５Ａ          認証管理コンピュータ
５Ｂ          ＭＡＣデータベース
６Ａ〜６Ｅ    無線基地局
７Ａ〜７Ｅ    通信エリア
【図１】
2005110122.tif 000003
【図２】
2005110122.tif 000004